(57)【要約】【課題】  ブレスレット本体及び発光の形のさまざまな装飾的なバリエーションの展開を可能とし、小さなこどもから大人まで着用可能に調節もできる発光ブレスレットを提供する。【解決手段】  それぞれ独立した複数の発光室３１ａ…３１ｉを長さ方向に並べたことにより、発光室３１ａ…３１ｉを所望のデザインにすることや、発光色や発光量など各発光室毎に発光条件を変化させることを可能とし、また、リング状に形成するための連結体１１を湾曲状態に用いてその長さ方向に沿って発光室３１ａ…３１ｉを並設することができ、或いは、複数の発光室３１ａ…３１ｉの間に連結部材として連結体１１を介在させたとき発光室の数を変化させることができ、或いはまた複数の発光室の間に介在させた連結部材としての連結体１１の少なくとも一つを伸縮可能とすることにより、リングの口径の調節を容易に行うことができる。【選択図】      図１
2005137578.tif 000002
【特許請求の範囲】
【請求項１】
互いに混合することで化学発光現象を生起する蛍光液と破割性アンプルに封入した酸化液とをそれぞれ封入した複数の可撓性と透光性を有する合成樹脂容器からなる発光室を連結体を介してリング状に並設したことを特徴とする発光ブレスレット。
【請求項２】
互いに混合することで化学発光現象を生起する酸化液と破割性アンプルに封入した蛍光液とをそれぞれ封入した複数の可撓性と透光性を有する合成樹脂容器からなる発光室を連結体を介してリング状に並設したことを特徴とする発光ブレスレット。
【請求項３】
互いに混合することで化学発光現象を生起する酸化液と破割性アンプルに封入した蓚酸エステルおよび蛍光物質の混合物とをそれぞれ封入した複数の可撓性と透光性を有する合成樹脂容器からなる発光室を連結体を介してリング状に並設したことを特徴とする発光ブレスレット。
【請求項４】
前記連結体がバンド状である請求項１、２、３に記載された発光ブレスレット。
【請求項５】
前記発光室の内のいくつかが空き室である請求項１、２、３、４に記載された発光ブレスレット。
【請求項６】
連結体の少なくとも一つが連結方向に伸縮可能である請求項１，２、３、４、５に記載された発光ブレスレット。
【発明の詳細な説明】
【技術分野】
【０００１】
本発明は、可撓性を有する能合成樹脂容器内に、蛍光液と、酸化液を封入した破割性のアンプルとを収容し、合成樹脂容器の外側からアンプルをを破割することにより、蛍光液・酸化液の二種の溶液を混合させることにより生じる化学反応を利用して発光させる化学発光体を利用した発光ブレスレットに関するものである。
【背景技術】
【０００２】
従来、酸化液を封入した破割性のガラスアンプルと蛍光液とを可撓性の合成樹脂容器内に封入し、外力によって前記ガラスアンプルを破割することによって蛍光液・酸化液の二種の溶液を混合させ化学反応させることで発光させる化学発光体が知られており、キャンドルやマドラー、ペンライト、スティックなどの夜間や暗所でのパーティーグッズとして広く用いられている（特許文献１参照）。
【０００３】
また、化学発光体を利用した装飾具として発光ブレスレットが提示されている（特許文献２、特許文献３参照）が、それらは図１１に示すように、従来から一般的に多用されている細い棒状の化学発光チューブを幅方向に並設させた帯体４１を撓ませてリング状としその両端に連結具４２を装着してリング状に固定するものである（特許文献２、特許文献３参照）。
【０００４】
従って、全周にわたって単に同一幅のリング状とした形状を呈するだけであり、装飾的要素が少ない。
【０００５】
また、前記化学発光チューブからなる帯体４１と連結具４２からなる発光ブレスレットは一定の長さを有する帯体４１をリング状とするので形成される口径が一定のサイズに定り、子供の手首に合わせると大人には小さすぎて着用できず、大人の手首に合わせると大きすぎて外れやすい等の不都合がある。これを解消するために大人用サイズと子供用サイズの異なるサイズの発光ブレスレットをそれぞれ作製する、ということも可能であるが、複数のサイズの発光ブレスレットを作るにはそれにかかる手間と費用が大きくなり、商用には不向きである。
【特許文献１】特開２００１−２０２８０１号公報
【特許文献２】特開平８−２８０４２１号公報
【特許文献３】特開平１０−９９１０８号公報
【発明の開示】
【発明が解決しようとする課題】
【０００６】
本発明は上記問題点を鑑みてなされたものであって、発光の形をデザインすることを可能とし、発光室およびブレスレット本体のさまざまな装飾的なバリエーションの展開が可能で、小さな子供から大人まで着用可能に調節もできる発光ブレスレットを提供することを目的とする。
【課題を解決するための手段】
【０００７】
本発明である発光ブレスレットは、互いに混合することで化学発光現象を生起する蛍光液と破割性アンプルに封入した酸化液とをそれぞれ封入した複数の可撓性と透光性を有する合成樹脂容器からなる発光室を連結体を介してリング状に並設したものである。
【０００８】
それぞれ独立した複数の発光室を長さ方向に並べたことにより、発光室を所望のデザインにすることができ、また、各発光室毎に蛍光液と破割性アンプルに封入した酸化液とを封入してあるので例えば発光色や発光量など各発光室毎に発光条件を変化させることも可能であり、従来の棒や帯状のものに比べてきわめて高い装飾性が発揮できる。
【０００９】
また、前記複数の発光室をリング状に形成するための連結体を、可撓性を有するリング状の帯体を用いてその長さ方向に沿って発光室を並設することにより、或いは、連結体を複数の発光室の間に介在させた連結部材としてリングを形成する発光室の数を変化させたり、更には、連結体を複数の発光室の間に介在させた連結部材としそれらの少なくとも一つを伸縮可能とすることにより、リングの口径を調節可能であり、子供から大人まで手首の太さに合わせた装着が可能である。
【発明の効果】
【００１０】
本発明によると、各発光室の発光色やデザインのバリエーションを豊かにし、より装飾性の高い発光ブレスレットを提供することが可能となる。また、子供から大人まであらゆる人が利用できるサイズ幅を有する発光ブレスレットを提供することができる。
【発明を実施するための最良の形態】
【００１１】
以下、本発明の発光ブレスレットの実施の形態を図面を参照しながら詳細に説明する。
【００１２】
図１乃至図３は本発明による発光ブレスレット１についての第一の実施の形態を示すもので、本発明である発光ブレスレットは、図１に示す展開図に示すように、互いに混合することで化学発光現象を生起する蛍光物質と、シュウ酸エステル、触媒、フタル酸ジブチルからなる蛍光液２１と、過酸化水素、触媒、フタル酸ジメチルからなる酸化液２２を封入した例えばガラス製の細管により形成される破割性アンプル１２とをそれぞれ封入した複数の可撓性と透光性を有する適宜の厚みの三角形板状を呈する合成樹脂容器からなる発光室３１ａ・・・３１ｉが、発光室３１ａ・・・３１ｉと同様な材質により形成されるバンド状の連結体１１に沿って長さ方向にわたって一体的に並設された状態に成形され、これを図２および図３に示すように手首に装着可能な大きさのリング状に折り曲げ加工したものである。
【００１３】
本実施の形態では、発光室３１ａ・・・３１ｉを並設した連結体１１がリング状に形成した状態で販売されることから、折り曲げ加工時や販売過程で各発光室３１ａ，３１ｂ，３１ｃ，３１ｄ自体も連結体１１とともに湾曲状態になることが考えられる。従って、各発光室３１ａ・・・３１ｉに封入される酸化液２２を封入した破割性アンプル１２がリング状の形成に伴ってた破割してしまう心配があるので、破割性アンプル１２を軸線が連結体１１の長さ方向、即ち、湾曲方向に向かないように、軸線が連結体１１の長さ方向に交差するように配置しておくことにより破割性アンプル１２の破割を防ぐことができる。
【００１４】
本実施の形態を使用するには、図２および図３の状態において、連結体１１の両遊端部１１ａ，１１ｂを連結体１１が有する弾性に抗して撓まして拡開して手首に差し込み、そのま拡開力を解除すれば弾性により元の閉じた状態に復帰して装着することができる（図示せず）のできわめて簡単に装着することととができる。
【００１５】
また、装着後は連結体１１が有する弾性により、両遊端部１１ａ，１１ｂが閉じた状態に保たれるので子供から大人まであらゆる人が利用できる口径を有する発光ブレスレット１を提供することとができる。
【００１６】
尚、各発光室３１ａ・・・３１ｉを発光させるには、前記手首に装着する前、又は装着後に、各発光室３１ａ・・・３１ｉ毎に外側から圧力を加えて従来のステック状の化学発光体と同様に破割性アンプル１２を折って破割ガラスアンプル１２を破割し、破割ガラスアンプル１１内に封入してある酸化液２２と蛍光液２１を混合させる。
【００１７】
従って、それぞれ独自の形状にデザインされた各発光室３１ａ・・・３１ｉが独立して発光するので図１０に示した従来の全体が帯状で長さ方向にわたって全体が一つに発光するブレスレットとに比べてきわめて優れた装飾性を発揮することができる。
【００１８】
尚、本実形態では、各発光室３１ａ・・・３１ｉを三角板状としたが、他の形状とし、更には、全てを同一形状にすることなしに異なる形状のものを並設してもよく、これらの場合には更に装飾性が高まる。また、発光室３１ａ・・・３１ｉはそれぞれ独立しているので、互いに異なる発光色を選択することもでき、全てを発光させる必要もない。また、いずれかを、経時的にずらして発光させることにより、長時間の発光も可能となる。また、本実施の形態では各発光室３１ａ・・・３１ｉをバンド状の連結体１１に一体に形成したものとしたが、別途に作成した各発光室３１ａ・・・３１ｉを連結体１１に接着或いは溶着させることで並設させてもよく、この場合には製造が容易である（図示せず）。
【００１９】
図４は本発明の第二の実施の形態を示すものであり、全体の構成や装着方法並びに作用・効果などはほぼ同様であるが、連結体１１に並設された発光室３１ａ・・・３１ｉの内のいくつかを空き室３２ｂ，３２ｄ，３２ｆ，３２ｈとした点が異なる。
【００２０】
これらの空き室３２ｂ，３２ｄ，３２ｆ，３２ｈを設けることによって、使用する合成樹脂の使用量を少なくし、発光液を封入しない分だけ軽量にすることができるとともに、連結体１１の一部を柔軟にすることから破割ガラスアンプル１２の破割を容易にする働きもある。更に、空き室３２の一部を開放しておく場合には、空き室３２ｂ，３２ｄ，３２ｆ，３２ｈに開放部３３を形成しておき印刷物や飾り物３４を差し込んでおくことができ、装飾性を増したり、宣伝文言を使用すれば簡単に宣伝効果を上げることもできる。
【００２１】
図５は本発明の第三の実施の形態を示すものであり、前記第一および第二の実施の形態と異なり、連結体１１が細長の矩形状でなく、連結体１１自体を所望の形状にデザインした例を示すものである。この場合には、発光室３１ａ，３１ｂ，３１ｃ，３１ｄだけでなく、ブレスレット１の全体にデザインを施すことが可能であり、一層の装飾性を発揮させることができる。
【００２２】
図６は本発明の第四の実施の形態を示すものであり、図１に示した実施の形態とほぼ同様であるが、連結体１１がリング状に折り曲げ加工されておらず全体が平板状で、その両遊部１１ａ，１１ｂに、互いに係脱可能な係止部材１３ａ，１３ｂが連設されている。従って、本実施の形態は、重ねたときに嵩張らないので運搬時や販売時に有利である。尚、装着時には連結体１１を手首に巻いて係止部材１３ａ，１３ｂを互いに係止してリング状にすればよい。尚、外す時には係止部材１３ａ，１３ｂの係合を解除すればよい。
【００２３】
図７は本発明の第五の実施の形態を示すものであり、発光室３１ａ，３１ｂ，３１ｃ，３１ｄ，３１ｅの構成や使用方法はは前記各実施の形態と同様であり、各々の発光室３１ａ，３１ｂ，３１ｃ，３１ｄ，３１ｅが、発光室３１ａ，３１ｂ，３１ｃ，３１ｄ，３１ｅと同材料からなる細片状の連結体１１により互いに連結された状態に形成されているとともに両端の発光室３１ａ，３１ｅに互いに係脱可能な係止部材１３ａ，１３ｂが連設されている。
【００２４】
本実施の形態は前記図６に示した本発明の第四の実施の形態と同様に重ねたときに嵩張らないので運搬時や販売時に有利であり、ブレスレット１を手首に巻いて係止部材１３ａ，１３ｂを互いに係止してリング状にして装着し、係止部材１３ａ，１３ｂの係合を解除することにより外すことができる。殊に、本実施の形態は殆どが発光室３１ａ，３１ｂ，３１ｃ，３１ｄ，３１ｅにより形成されるので少ない材料費で形成することができる。
【００２５】
更に、図８は本発明の第六の実施の形態を示すものであり、全体の構成並びに使用方法は前記図７に示した本発明の第五の実施の形態とほぼ同様であるが、各発光室３１ａ，３１ｂ，３１ｃ，３１ｄ，３１ｅが各発光室３１ａ，３１ｂ，３１ｃ，３１ｄ，３１ｅと同材料により形成された細片状の連結体１１が図８（ａ）は環状の，図８（ｂ）は半環状に形成されて連結方向に伸縮性を有しており、手首の太さに拘わらず装着が可能である点が異なる。
【００２６】
本実施の形態によれば、各発光室３１ａ，３１ｂ，３１ｃ，３１ｄ，３１ｅを連結する連結体１１が伸縮性を有しているので子供から大人まであらゆる人に適合するサイズ幅を有する発光ブレスレット１を提供することとができる。
【００２７】
尚、連結体１１は一定の伸縮性を有するものであればよく、ゴム体やバネ体等も利用することができる。
【００２８】
更にまた、図９は本発明の第七の実施の形態を示すものであり、全体の構成並びに使用方法は前記図８に示した本発明の第六の実施の形態とほぼ同様であるが、図９（ａ）に示すように、発光室３１ａ，３１ｂ，３１ｃ，３１ｄが伸縮可能な連結体１１により順次連結されてリング状に形成されている点が異なり、そのまま連結体１１を伸長させてリング状のブレスレット１を開いて手首に脱着することができるので取り扱いが容易である。特に、連結体１１を比較的薄く形成する場合には図８（ｂ）に示すように連結体１１部分を折り曲げることにより、リング状のブレスレット１を平面的な折り畳むことが可能であり、運搬や保管、更には携帯にも便利である。
【００２９】
発光室を連結体を介してリング状に並設した概念は、図１１に示すように多角形のリングも含まれる。この携帯では、破割性アンプル１２を軸線が連結体１１の長さ方向に配置することもできる。
【００３０】
破割性アンプルに蛍光液の成分である蓚酸エステルおよび蛍光物質を固体のまま封入した場合、その固体が粒状、粉状、又は塊りであってもよいが、酸化液と混合した時、その溶媒に溶解して発光がスタートすることになり、静置すると発光輝度が下がっていくが、ブレスレット全体を振ると未溶解の沈殿物が溶けて、発光が強くなる等、使用時のみ輝度を上げられるので、長時間の使用が可能となる。
【００３１】
図２、図１０に示すように発光室が連結体を介して、一体となっている場合や発光室の壁の厚みが１ｍｍ〜１．５ｍｍなど厚くなると幼子では手による圧力ではガラスアンプルを破割できなくなる場合は、簡易な折り具（補助）を商品と供に提供する場合もある。
【図面の簡単な説明】
【００３２】
【図１】本発明の第一の実施の形態を示す展開図。
【図２】本発明の第一の実施の形態を示す斜視図。
【図３】本発明の第一の実施の形態を示す横断面図。
【図４】本発明の第二の実施の形態を示す展開図。
【図５】本発明の第三の実施の形態を示す展開図。
【図６】本発明の第四の実施の形態を示す斜視図。
【図７】本発明の第五の実施の形態を示す斜視図。
【図８】本発明の第六の実施の形態を示す展開図。
【図９】本発明の第七の実施の形態を示す横断面図。
【図１０】本発明の第八の実施の形態を示す斜視図。
【図１１】従来例を示す斜視図。
【符号の説明】
【００３３】
１  発光ブレスレット、１１  連結体、１１ａ，１１ｂ  遊端部、１２  アンプル、１３ａ，１３ｂ  係止具、２１  蛍光液、２２  酸化液、３１ａ・・・３１ｉ  発光室、３２  空き室、３４  飾り物、４１  帯体、４２  連結具
【図１】
2005137578.tif 000003
【図２】
2005137578.tif 000004
【図３】
2005137578.tif 000005
【図４】
2005137578.tif 000006
【図５】
2005137578.tif 000007
【図６】
2005137578.tif 000008
【図７】
2005137578.tif 000009
【図８】
2005137578.tif 000010
【図９】
2005137578.tif 000011
【図１０】
2005137578.tif 000012
【図１１】
2005137578.tif 000013